【手続補正書】
【提出日】平成28年10月26日(2016.10.26)
【手続補正１】
【補正対象書類名】明細書
【補正対象項目名】００９１
【補正方法】変更
【補正の内容】
【００９１】
本発明の様々な変更及び変更は、本発明の趣旨及び範囲から逸脱することなく、当業者にとって明らかとなり、本発明は本発明において説明される例示的な実施形態に限定されないものと理解されるべきである。例えば、１つの開示実施形態の特徴は、別に記載のないかぎり、他の開示実施形態全てにも適用され得ることを、読者は推定すべきである。本明細書において参照される、米国特許、特許出願公開、並びに他の特許文献及び非特許文献は、これらが先行する開示と矛盾しないかぎりにおいて、参照として組み込まれる。発明の実施態様の一部を以下の項目［１］−［２９］に記載する。
［１］
しるしのパターンを感知するための光学スタイラスであって、
第１照射波長範囲内の放射光を放出するように構成された光源と、
第１しるし波長範囲及び第２しるし波長範囲でしるしを感知するように構成された光学画像センサであって、前記第１しるし波長範囲は、実質的に人間に可視な光を含み、前記第２しるし波長は、実質的に人間に不可視な光を含む、光学画像センサと、
を備える、光学スタイラス。
［２］
前記第１照射波長範囲は、前記第１及び前記第２しるし波長範囲のいずれとも重なり合わない、項目１に記載の光学スタイラス。
［３］
前記第１照射波長範囲は、前記第１及び／又は前記第２しるし波長範囲と少なくとも部分的に重なり合う、項目１に記載の光学スタイラス。
［４］
前記第１照射波長範囲は、実質的に赤外線である、項目１に記載の光学スタイラス。
［５］
赤外線は、７００ｎｍ〜２０００ｎｍを含む、項目４に記載の光学スタイラス。
［６］
前記第１照射波長範囲は、実質的に人間に可視である、項目１に記載の光学スタイラス。
［７］
人間に可視は、３６０ｎｍ〜７００ｎｍである、項目６に記載の光学スタイラス。
［８］
前記第２しるし波長範囲は、実質的に赤外線である、項目１に記載の光学スタイラス。
［９］
実質的赤外線は、７００ｎｍ〜２０００ｎｍである、項目８に記載の光学スタイラス。
［１０］
前記光学画像センサは、単一センサである、項目１に記載の光学スタイラス。
［１１］
前記光学画像センサは、少なくとも１つの画素アレイを含む、項目１に記載の光学スタイラス。
［１２］
前記画素アレイの第１サブアレイは、前記第１しるし波長範囲に応答し、前記画素アレイの第２サブアレイは、前記第２しるし波長範囲に応答する、項目１１に記載の光学スタイラス。
［１３］
前記第１しるし波長範囲内の放射光を前記第１サブ画素アレイまで通過させ、前記第２しるし波長範囲の放射光を前記第２サブ画素アレイまで通過させるフィルタを更に備える、項目１１に記載の光学スタイラス。
［１４］
アクロマートレンズを更に含む、項目１に記載の光学スタイラス。
［１５］
基材の局所領域を画定する位置固有しるしを感知するための視野を有する光学スタイラスであって、
第１波長範囲内の放射光に対して感光性があり、第１画像信号を提供する、第１画像センサと、
第２波長範囲内の放射光に対して感光性があり、第２画像信号を提供する、第２画像センサと、
第１照射波長範囲内の放射光を提供する第１照射光源と、
第２照射波長範囲内の放射光を提供する第２照射光源と、
前記第１及び前記第２画像センサと前記第１及び前記第２照射光源とに通信可能に結合された電子機器であって、前記電子機器は、前記第１及び／又は前記第２照射光源を選択的に駆動する一方で、第１及び／第２画像信号を受信することを含む、様々なモードで動作するように構成される、電子機器と、
を備える、光学スタイラス。
［１６］
前記電子機器は、前記第１と前記第２照射光源のいずれも駆動させない一方で、第１及び第２画像信号を受信するあるモードで周期的に動作するように追加的に構成された、項目１５に記載の光学スタイラス。
［１７］
前記電子機器は、前記受信された第１及び第２画像信号から、対応したしるしパターンが前記スタイラスの視野内にあるかどうかを判定するように構成された、項目１５に記載の光学スタイラス。
［１８］
前記電子機器は、いったん、対応した位置パターンが検出されると、前記検知されたしるしと一致する感知モードに切り替えるように更に構成された、項目１７に記載の光学スタイラス。
［１９］
前記検知されたしるしとの一致が、前記第１若しくは前記第２照射光源のいずれかを駆動する又はいずれも駆動しないことと、前記第１若しくは前記第２画像センサを駆動することを含む前記感知モードを選択することと、を含む、項目１８に記載の光学スタイラス。
［２０］
前記第１照射波長範囲は、実質的に人間に可視である、項目１９に記載の光学スタイラス。
［２１］
実質的に人間に可視は、約３６０ｎｍ〜約７００ｎｍを含む、項目２０に記載の光学スタイラス。
［２２］
実質的に赤外線である前記第２波長範囲の励起放射光、項目２０に記載の光学スタイラス。
［２３］
実質的赤外線は、約７００ｎｍ〜約２０００ｎｍを含む、項目２２に記載の光学スタイラス。
［２４］
前記第１と前記第２画像センサとは、同じ画像センサである、項目２２に記載の光学スタイラス。
［２５］
前記第２画像センサと関連するフィルタであって、前記視野から前記第２画像センサまで殆どの赤外線を通過させる、フィルタ、を更に備える、項目２２に記載の光学スタイラス。
［２６］
前記第１の放出された波長の範囲は、実質的に人間に可視である、項目２２に記載の光学スタイラス。
［２７］
実質的に人間に可視は、約３００ｎｍ〜約７００ｎｍを含む、項目２６に記載の光学スタイラス。
［２８］
アクロマートレンズを更に含む、項目１に記載の光学スタイラス。
［２９］
スタイラスであって、
視野を有する画像センサと、
第１及び第２照射光源であって、前記第１は、第１照射波長範囲の放射光を提供するように構成され、前記第２は、第２照射波長範囲の励起放射光を提供するように構成された、第１及び第２照射光源と、
前記画像センサ並びに前記第１及び前記第２照射光源に通信可能に結合された電子機器であって、前記電子機器は、前記画像センサから画像信号を受信し、前記画像信号からある画像信号が対応したしるしパターンを含むかどうかを判定するように構成される、電子機器と、を備え、
前記電子機器は、前記第１及び前記第２照射光源を選択的に循環させて、どちらが対応したしるしパターンを含む画像信号を前記画像センサに受信させているかを見い出すために更に構成された、スタイラス。
【手続補正２】
【補正対象書類名】特許請求の範囲
【補正対象項目名】全文
【補正方法】変更
【補正の内容】
【特許請求の範囲】
【請求項１】
しるしのパターンを感知するための光学スタイラスであって、
第１照射波長範囲内の放射光を放出するように構成された光源と、
第１しるし波長範囲及び第２しるし波長範囲でしるしを感知するように構成された光学画像センサであって、前記第１しるし波長範囲は、実質的に人間に可視な光を含み、前記第２しるし波長は、実質的に人間に不可視な光を含む、光学画像センサと、
を備える、光学スタイラス。
【請求項２】
基材の局所領域を画定する位置固有しるしを感知するための視野を有する光学スタイラスであって、
第１波長範囲内の放射光に対して感光性があり、第１画像信号を提供する、第１画像センサと、
第２波長範囲内の放射光に対して感光性があり、第２画像信号を提供する、第２画像センサと、
第１照射波長範囲内の放射光を提供する第１照射光源と、
第２照射波長範囲内の放射光を提供する第２照射光源と、
前記第１及び前記第２画像センサと前記第１及び前記第２照射光源とに通信可能に結合された電子機器であって、前記電子機器は、前記第１及び／又は前記第２照射光源を選択的に駆動する一方で、第１及び／第２画像信号を受信することを含む、様々なモードで動作するように構成される、電子機器と、
を備える、光学スタイラス。
【請求項３】
スタイラスであって、
視野を有する画像センサと、
第１及び第２照射光源であって、前記第１は、第１照射波長範囲の放射光を提供するように構成され、前記第２は、第２照射波長範囲の励起放射光を提供するように構成された、第１及び第２照射光源と、
前記画像センサ並びに前記第１及び前記第２照射光源に通信可能に結合された電子機器であって、前記電子機器は、前記画像センサから画像信号を受信し、前記画像信号からある画像信号が対応したしるしパターンを含むかどうかを判定するように構成される、電子機器と、を備え、
前記電子機器は、前記第１及び前記第２照射光源を選択的に循環させて、どちらが対応したしるしパターンを含む画像信号を前記画像センサに受信させているかを見い出すために更に構成された、スタイラス。